(57)【特許請求の範囲】
【請求項１】
ベースとカバーとを組み合わせて形成される空間に計器を収容する計器箱であって、かつ前記ベースと前記カバーを連続して貫通する封印ネジと、前記ベースに封印ネジ部分の雌ネジを備える締め付け装置が不良の場合の前記計器箱を補修する計器箱補修具において、
貫通孔を備え、前記ベースに当接するための貫通孔付アーム部と、前記貫通孔付アーム部と対向し、かつネジ穴を備え、前記カバーに当接するためのネジ穴付アーム部と、前記貫通孔付アーム部と前記ネジ穴付アーム部とを連結する連結部とを備える計器箱補修具本体と、
前記カバーの前記封印ネジの差込孔よりも大径であって、かつ前記ネジ穴に螺合するための大径ネジ部と、前記封印ネジの差込孔に挿入するために前記大径ネジ部の一端に設けられる軸部と、前記大径ネジ部の他端に設けられる封印孔付頭部とを備える計器箱補修具用の封印ネジと、
を備え、
前記ベースと前記カバーとが嵌め合わされて最短となったときのカバー締め付け箇所の長さと、前記貫通孔付アーム部と前記ネジ穴付アーム部との間の距離とが等しいことを特徴とする計器箱補修具。
【請求項２】
ベースとカバーとを組み合わせて形成される空間に計器を収容する計器箱であって、かつ前記ベースと前記カバーを連続して貫通する封印ネジと、前記ベースに封印ネジ部分の雌ネジを備える締め付け装置が不良の場合の前記計器箱を補修する計器箱補修具において、
貫通孔を備え、前記ベースに当接するための貫通孔付アーム部と、前記貫通孔付アーム部と対向し、かつネジ穴を備え、前記カバーに当接するためのネジ穴付アーム部と、前記貫通孔付アーム部と前記ネジ穴付アーム部とを連結する連結部とを備える計器箱補修具本体と、
前記ネジ穴に挿入するネジ部と、前記ネジ部の他端に設けられた封印孔付頭部とを備える計器箱補修具用の封印ネジと、
前記封印ネジの前記ネジ部に取り付けられ、前記カバーの前記封印ネジの差込孔よりも大きい外形を有するフランジ部と、前記フランジ部から突出するとともに前記封印ネジの差込孔に挿入可能な突起部と、を有する封印ネジ先端キャップと、を備え、
前記ベースと前記カバーとが嵌め合わされて最短となったときのカバー締め付け箇所の長さよりも、前記貫通孔付アーム部と前記ネジ穴付アーム部との間の距離が大きいことを特徴とする計器箱補修具。
【請求項３】
ベースとカバーとを組み合わせて形成される空間に計器を収容する計器箱であって、かつ前記ベースと前記カバーを連続して貫通する封印ネジと、前記ベースに封印ネジ部分の雌ネジを備える締め付け装置が不良の場合の前記計器箱を補修する計器箱補修具において、
貫通孔を備え、前記ベースに当接するための貫通孔付アーム部と、前記貫通孔付アーム部と対向し、かつネジ穴を備え、前記カバーに当接するためのネジ穴付アーム部と、前記貫通孔付アーム部と前記ネジ穴付アーム部とを連結する連結部とを備える計器箱補修具本体と、
前記貫通孔付アーム部と前記ネジ穴付アーム部との間の距離よりも短く、かつ前記ネジ穴に挿入するネジ部と、前記ネジ部の他端に設けられる封印孔付頭部とを備える計器箱補修具用の封印ネジと、
を備え、
前記ベースと前記カバーとが嵌め合わされて最短となったときのカバー締め付け箇所の長さと、前記貫通孔付アーム部と前記ネジ穴付アーム部との間の距離とが等しいことを特徴とする計器箱補修具。
【請求項４】
ベースとカバーとを組み合わせて形成される空間に計器を収容する計器箱であって、かつ前記ベースと前記カバーを連続して貫通する封印ネジと、前記ベースに封印ネジ部分の雌ネジを備える締め付け装置が不良の場合の前記計器箱を補修する計器箱補修具において、
貫通孔を備え、前記カバーに当接するための貫通孔付アーム部と、前記貫通孔付アーム部と対向し、かつネジ穴を備え、前記ベースに当接するためのネジ穴付アーム部と、前記貫通孔付アーム部と前記ネジ穴付アーム部とを連結する連結部とを備える計器箱補修具本体と、
前記ネジ穴付アーム部の外側に配置されたナットと、
前記貫通孔付アーム部と、前記計器箱のカバー締め付け箇所と、前記ネジ穴を貫通し、前記ナットに螺合されるネジ部と、前記ネジ部が一端に設けられた軸部と、前記軸部の他端に設けられ、封印孔付頭部とを備える計器箱補修具用の封印ネジと、を備え、
前記ベースと前記カバーとが嵌め合わされて最短となったときのカバー締め付け箇所の長さと、前記貫通孔付アーム部と前記ネジ穴付アーム部との間の距離とが等しいことを特徴とする計器箱補修具。
【請求項５】
前記貫通孔付アーム部又は前記ネジ穴付アーム部の一端の先端には、前記貫通孔付アーム部と前記ネジ穴付アーム部とが前記カバー締め付け箇所を挟持する挟持方向と逆方向に曲げてある折り曲げ部を備えていることを特徴とする請求項１から４のいずれか１項に記載の計器箱補修具。
【発明の詳細な説明】
【技術分野】
【０００１】
本発明は、屋外において使用される電力量計などの計器を収容する計器箱に関する。
【背景技術】
【０００２】
従来、屋外において使用される電力量計を、雨露や衝撃などから保護するために使用する計器箱があった。電力量計は、ベース（本体）及びカバー内に形成される空間内に収容される。計器箱は、ベース及びカバーを組み合わせた状態で、例えば、カバーの下端に遊貫された封印ネジを、ベースの下端に設けられた封印ネジ部分の雌ネジに螺合し、又は合成樹脂製の雌ネジ穴に螺合することによって、計器箱の下端に固定されている。電力量計を収容する計器箱は、例えば、ベース及びカバーにそれぞれ設けられた封印用の貫通孔と、封印ネジの頭部を直径方向に貫通する封印用の貫通孔とに、封印線を弛まないように通した状態で、封印線の両端を封印具により圧着することで、電力量計の違約使用の防止を図っている。
【先行技術文献】
【特許文献】
【０００３】
【特許文献１】特許第５４１５４７０号公報
【発明の概要】
【発明が解決しようとする課題】
【０００４】
しかしながら、屋外で使用される電力量計の計器箱は紫外線や風雨にさらされる。このため、電力量計の取替や調査等で、計器箱のカバーを開ける際に、封印ネジや封印ネジ部分の雌ネジの螺合部分等が錆等の経年劣化が主な原因で固着する場合も少なくなかった。そのため、封印ネジを弛める方向に回転させると、封印ネジの頭部や、封印ネジ部分の雌ネジとの螺合部分が破損することも少なくなかった。
【０００５】
また、計器箱ベースに合成樹脂製の雌ネジ穴がある場合は、樹脂製のネジ山が経年劣化等により摩耗して、封印ネジが空転して固着できないこともあった。
【０００６】
計器箱ベースの下端に設けられた封印ネジ部分の雌ネジに、封印ネジ先端側の一部が残ってしまった場合、又は合成樹脂製の雌ネジ穴のネジ山が摩耗した場合は、計器箱を正常に閉じて封印することができなくなるため、電力量計の取替や調査等の本来の作業に加え、計器箱の交換を行わなくてはならず、停電時間や作業時間の発生や長時間化が発生し、作業の容易性や効率、設置コストの高額化等、さまざまな問題が発生している。
【０００７】
また、特許文献１に記載の技術は、従来の計器箱とは構造が異なり、既存の計器箱が再利用できないため、ベース及びカバーを専用の新しいベース及びカバーへ取り替える作業が必要である。
【０００８】
また、上述した従来の技術では、カバーを開ける際に、封印ネジや雌ネジの螺合部分に錆が生じ脆くなっている場合を想定して、封印ネジを慎重に弛めても、当該封印ネジがネジ切れする場合等も多く、封印ネジの破損により、再度の封印ができなくなる。
【０００９】
本発明は、上記に鑑みてなされたものであって、カバーを開けることで封印ネジの破損等があっても、既存の計器箱のベース及びカバーを再利用可能な計器箱補修具を提供することを目的とする。
【課題を解決するための手段】
【００１０】
上述した課題を解決し、目的を達成するために計器箱補修具は、ベースとカバーとを組み合わせて形成される空間に計器を収容する計器箱であって、かつ前記ベースと前記カバーを連続して貫通する封印ネジと、前記ベースに封印ネジ部分の雌ネジを備える締め付け装置が不良の場合の前記計器箱を補修する計器箱補修具において、貫通孔を備え、前記ベースに当接するための貫通孔付アーム部と、前記貫通孔付アーム部と対向し、かつネジ穴を備え、前記カバーに当接するためのネジ穴付アーム部と、前記貫通孔付アーム部と前記ネジ穴付アーム部とを連結する連結部とを備える計器箱補修具本体と、前記カバーの前記封印ネジの差込孔よりも大径であって、かつ前記ネジ穴に螺合するための大径ネジ部と、前記封印ネジの差込孔に挿入するために前記大径ネジ部の一端に設けられる軸部と、前記大径ネジ部の他端に設けられる封印孔付頭部とを備える計器箱補修具用の封印ネジと、を備え、前記ベースと前記カバーとが嵌め合わされて最短となったときのカバー締め付け箇所の長さと、前記貫通孔付アーム部と前記ネジ穴付アーム部との間の距離とが等しい。
【００１１】
この構造により、カバーを開けることで封印ネジの破損があっても、既存の計器箱のベース及びカバーを再利用して、カバーをベースに固定することができる。
【００１２】
上述した課題を解決し、目的を達成するために計器箱補修具は、ベースとカバーとを組み合わせて形成される空間に計器を収容する計器箱であって、かつ前記ベースと前記カバーを連続して貫通する封印ネジと、前記ベースに封印ネジ部分の雌ネジを備える締め付け装置が不良の場合の前記計器箱を補修する計器箱補修具において、貫通孔を備え、前記ベースに当接するための貫通孔付アーム部と、前記貫通孔付アーム部と対向し、かつネジ穴を備え、前記カバーに当接するためのネジ穴付アーム部と、前記貫通孔付アーム部と前記ネジ穴付アーム部とを連結する連結部とを備える計器箱補修具本体と、前記ネジ穴に挿入するネジ部と、前記ネジ部の他端に設けられた封印孔付頭部とを備える計器箱補修具用の封印ネジと、前記封印ネジの前記ネジ部に取り付けられ、前記カバーの前記封印ネジの差込孔よりも大きい外形を有するフランジ部と、前記フランジ部から突出するとともに前記封印ネジの差込孔に挿入可能な突起部と、を有する封印ネジ先端キャップと、を備え、前記ベースと前記カバーとが嵌め合わされて最短となったときのカバー締め付け箇所の長さよりも、前記貫通孔付アーム部と前記ネジ穴付アーム部との間の距離が大きい。
【００１３】
この構造により、カバーを開けることで封印ネジの破損があっても、既存の計器箱のベース及びカバーを再利用して、カバーをベースに固定することができる。
【００１４】
上述した課題を解決し、目的を達成するために計器箱補修具は、ベースとカバーとを組み合わせて形成される空間に計器を収容する計器箱であって、かつ前記ベースと前記カバーを連続して貫通する封印ネジと、前記ベースに封印ネジ部分の雌ネジを備える締め付け装置が不良の場合の前記計器箱を補修する計器箱補修具において、貫通孔を備え、前記ベースに当接するための貫通孔付アーム部と、前記貫通孔付アーム部と対向し、かつネジ穴を備え、前記カバーに当接するためのネジ穴付アーム部と、前記貫通孔付アーム部と前記ネジ穴付アーム部とを連結する連結部とを備える計器箱補修具本体と、前記貫通孔付アーム部と前記ネジ穴付アーム部との間の距離よりも短く、かつ前記ネジ穴に挿入するネジ部と、前記ネジ部の他端に設けられる封印孔付頭部とを備える計器箱補修具用の封印ネジと、を備え、前記ベースと前記カバーとが嵌め合わされて最短となったときのカバー締め付け箇所の長さと、前記貫通孔付アーム部と前記ネジ穴付アーム部との間の距離とが等しい。
【００１５】
この構造により、カバーを開けることで封印ネジの破損があっても、既存の計器箱のベース及びカバーを再利用して、カバーをベースに固定することができる。
【００１６】
上述した課題を解決し、目的を達成するために計器箱補修具は、ベースとカバーとを組み合わせて形成される空間に計器を収容する計器箱であって、かつ前記ベースと前記カバーを連続して貫通する封印ネジと、前記ベースに封印ネジ部分の雌ネジを備える締め付け装置が不良の場合の前記計器箱を補修する計器箱補修具において、貫通孔を備え、前記カバーに当接するための貫通孔付アーム部と、前記貫通孔付アーム部と対向し、かつネジ穴を備え、前記ベースに当接するためのネジ穴付アーム部と、前記貫通孔付アーム部と前記ネジ穴付アーム部とを連結する連結部とを備える計器箱補修具本体と、前記ネジ穴付アーム部の外側に配置されたナットと、前記貫通孔付アーム部と、前記計器箱のカバー締め付け箇所と、前記ネジ穴を貫通し、前記ナットに螺合されるネジ部と、前記ネジ部が一端に設けられた軸部と、前記軸部の他端に設けられ、封印孔付頭部とを備える計器箱補修具用の封印ネジと、を備え、前記ベースと前記カバーとが嵌め合わされて最短となったときのカバー締め付け箇所の長さと、前記貫通孔付アーム部と前記ネジ穴付アーム部との間の距離とが等しい。
【００１７】
この構造により、カバーを開けることで封印ネジ部分の雌ネジの摩耗等があっても、既存の計器箱のベース及びカバーを再利用して、カバーをベースに固定することができる。
【００１８】
好ましい態様として、計器箱補修具は、前記貫通孔付アーム部又は前記ネジ穴付アーム部の一端の先端には、前記貫通孔付アーム部と前記ネジ穴付アーム部とが前記カバー締め付け箇所を挟持する挟持方向と逆方向に曲げてある折り曲げ部を備えている。
【００１９】
この構造により、カバーの締め付け箇所において、計器箱補修具本体がベース及びカバーを挟持し易くなる。
【発明の効果】
【００２０】
本発明によれば、計器箱の封印ネジの破損や封印ネジ部分の雌ネジの摩耗等が原因で、計器箱を正常に閉じて封印ができなくなっても、計器箱補修具を使うことにより、既存の計器箱のベース及びカバーを再利用して、計器箱を正常に閉じて封印することができる。そして、電力量計の取替や調査等に伴う計器箱の不良取替数を低減し、停電や作業の抑制、及び作業の容易性や設備コストの効率化を図ることができる。
【図面の簡単な説明】
【００２１】
【図１】図１は、計器箱の模式的な断面図である。
【図２】図２は、計器箱の正面を模式的に示す組み合わせ図である。
【図３】図３は、計器箱のカバー締め付け箇所において、カバーを開ける際に封印ネジが破損した状態を模式的に説明する拡大断面図である。
【図４】図４は、計器箱の封印ネジが破損した状態、又は樹脂製のネジ山が摩耗した状態の計器箱締め付け箇所を示す平面図である。
【図５】図５は、既存の計器箱の封印ネジを示す説明図である。
【図６】図６は、実施形態１に係る封印ネジ先端キャップを説明するための説明図である。
【図７】図７は、実施形態１に係る計器箱補修具本体を説明するための説明図である。
【図８】図８は、実施形態１に係る計器箱補修具の封印ネジを説明するための説明図である。
【図９】図９は、実施形態１に係る計器箱補修具の取付手順を示す模式図である。
【図１０】図１０は、実施形態１に係る計器箱補修具の取付状態を示す模式図である。
【図１１】図１１は、実施形態２に係る計器箱補修具の取付状態を示す模式図である。
【図１２】図１２は、実施形態２に係る計器箱補修具の封印ネジを説明するための説明図である。
【図１３】図１３は、実施形態２に係る計器箱補修具本体の取付手順を模式的に示す平面図である。
【図１４】図１４は、実施形態２に係る計器箱補修具の取付状態において、封印ネジと封印孔に封印線を通して、封印をした状態を模式的に示す平面図である。
【図１５】図１５は、計器箱の封印ネジが破損した状態の、計器箱締め付け箇所を模式的に示す断面図である。
【図１６】図１６は、実施形態２に係る計器箱補修具の取付手順を模式的に示す断面図である。
【図１７】図１７は、実施形態２に係る計器箱補修具の取付状態において、封印ネジと封印孔に封印線を通して、封印をした状態を模式的に示す断面図である。
【図１８】図１８は、実施形態３に係る計器箱補修具の取付状態を示す模式図である。
【図１９】図１９は、実施形態３に係る計器箱補修具の封印ネジの説明図である。
【図２０】図２０は、実施形態３に係る計器箱補修具の封印ネジを説明するための説明図である。
【図２１】図２１は、計器箱の樹脂製のネジ山が摩耗した状態の、計器箱締め付け箇所を示す断面図である。
【図２２】図２２は、実施形態３に係る計器箱補修具の取付手順を示す断面図である。
【図２３】図２３は、実施形態３に係る計器箱補修具の取付状態を示す断面図である。
【図２４】図２４は、実施形態３に係る計器箱補修具本体の取付手順を示す平面図である。
【図２５】図２５は、実施形態３に係る計器箱補修具の取付状態を示す平面図である。
【図２６】図２６は、実施形態４に係る計器箱補修具の取付手順を示す断面図である。
【図２７】図２７は、実施形態４に係る計器箱補修具の取付状態を示す断面図である。
【図２８】図２８は、実施形態４に係る計器箱補修具の封印ネジを説明するための説明図である。
【図２９】図２９は、実施形態４に係る計器箱補修具本体の取付手順を示す平面図である。
【図３０】図３０は、実施形態４に係る計器箱補修具の取付状態を示す平面図である。
【発明を実施するための形態】
【００２２】
以下、本発明につき図面を参照しつつ詳細に説明する。なお、下記の発明を実施するための形態（以下、実施形態という。）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００２３】
（実施形態１）
図１は、計器箱の模式的な断面図である。図２は、計器箱の正面を模式的に示す組み合わせ図である。図２の右側は、カバー２の正面図であり、図２の左側は、カバーを省略して、ベース３の正面図である。図３は、カバー及びベースの固定機構において、カバーを開ける際にねじ切れを生じている状態を模式的に説明する拡大断面図である。図４は、計器箱の封印ネジが破損した状態、又は樹脂製のネジ山が摩耗した状態の計器箱締め付け箇所を示す平面図である。図１及び図２に示すように、計器箱１は、カバー２、ベース３及びカバー締め付け箇所５を有している。
【００２４】
計器箱１は、屋外において使用される電力量計を、雨露や衝撃などから保護するために使用する。カバー２とベース３との間に形成される空間９には、電力量計などの計器が収容される。図２に示すように、ベース３及びカバー２にそれぞれ設けられ、カバー２とベース３とが閉められた場合に貫通する封印孔１０（図４参照）と、カバー締め付け箇所５に設けられた封印ネジ４の差込孔２１（図４参照）、封印ネジ４の頭部にある封印用の貫通孔（以後、封印孔という。）４９と、に後述する封印線が挿入される。この封印線が通された状態で、後述する封印具で封印線が圧着される。封印線により、計器箱の封印ネジ４の弛みが抑制され、封印線を切らないと封印ネジ４を弛められないので、計器箱１が封印される。その結果、カバー２とベース３との間に形成される空間９に電力計などの計器が設置された後、不正にカバー２が開けられたことが、封印線の状態をもって判断できる。
【００２５】
図５は、既存の計器箱の封印ネジを示す説明図である。封印ネジ４は、ネジ頭部（封印孔付頭部）４１と、軸部４２と、ネジ部４３とを備えている。本実施形態では、ネジ部４３の外周に雄ねじが切られている。封印ネジ４の寸法の一例として、封印孔付頭部４１の直径Ｄ７がφ６ｍｍであり、軸部４２の直径Ｄ８がφ３ｍｍであり、ネジ部４３の直径Ｄ６がφ４ｍｍである。また、封印孔付頭部４１の長さＬ６が６ｍｍであり、軸部４２の長さＬ５が１５ｍｍであり、ネジ部４３の長さＬ４が８ｍｍである。封印孔付頭部４１には、ドライバーを差し込む溝があり、溝幅ｄ１が１．２ｍｍである。
【００２６】
図３に示すように、カバー締め付け箇所５において、カバー２には、封印ネジ４の差込孔２１が設けられている。また、カバー締め付け箇所５において、ベース３にも封印ネジ部分の雌ネジ３１が設けられている。ベース３に対して、カバー２が閉められると、封印ネジの差込孔２１と封印ネジ部分の雌ネジ３１とが重なり、封印ネジの差込孔２１と封印ネジ部分の雌ネジ３１とが連通する。雌ネジ３１には、雌ネジが切られているので、封印ネジ４のネジ部４３が雌ネジ３１と螺合して、カバー締め付け箇所５がベース３にカバー２を固定するとともに、上述のように、封印する。なお、図３に示すように、封印ネジ４のネジ部４３の先端は、ベース３の封印ネジ部分の雌ネジ３１から露出し、ベース３から突出している。
【００２７】
計器箱１は、電力量計などの計器の取り替えや検査などの目的でカバー２が開けられる。カバー２の開閉は、５年、１０年などの長期期間経過後に行われることが多い。また、計器箱１は、外にあるため、紫外線、風雨にさらされる。その結果、置かれる環境によっては、カバー締め付け箇所５の封印ネジ４に錆、腐食などが進行し、カバー締め付け箇所５の封印ネジ４が劣化することがある。劣化した封印ネジ４の締結を解除して、計器箱１のカバー２を開ける作業によっては、封印ネジ４がねじ切れて、ベース３の雌ネジ３１へ封印ネジ４の先端側４Ｂが残ってしまった状態になることがある。このような状態は、ベース３に封印ネジ部分の雌ネジ３１を備える締め付け装置が不良の場合と言える。
【００２８】
例えば、カバー締め付け箇所５の封印ネジ４が劣化した状態であったり、封印ネジ４のネジ部４３と雌ネジ３１との締結が錆により解除できない場合、封印ネジ４を無理に回転すると、封印ネジ４がねじ切れ、図３に示すように軸部４２に破断部ＢＫができて、封印ネジ４の頭部側４Ａ、封印ネジ４の先端側４Ｂとなることがある。
【００２９】
この封印ネジの先端側４Ｂがベース３の封印ネジ部分の雌ネジ３１へ残ってしまうことが多い。従来、封印ネジの先端側４Ｂがベース３の封印ネジ部分の雌ネジ３１へ残ってしまうと、封印ネジ４、カバー２及びベース３を交換し、交換後の封印ネジ４、カバー２及びベース３が破棄されていた。
【００３０】
実施形態１において、封印ネジの頭部側４Ａが破棄されるが、カバー２、ベース３及び封印ネジの先端側４Ｂが再利用される。図６は、実施形態１に係る封印ネジ先端キャップを説明するための説明図である。図７は、実施形態１に係る計器箱補修具本体を説明するための説明図である。図８は、実施形態１に係る計器箱補修具の封印ネジを説明するための説明図である。図９は、実施形態１に係る計器箱補修具の取付手順を示す模式図である。図１０は、実施形態１に係る計器箱補修具の取付状態を示す模式図である。実施形態１において、カバー２は、図６に示す封印ネジ４の先端キャップ６と、図７に示す計器箱補修具本体７と、図８に示す計器箱補修具の封印ネジ４Ｃとを用いて、ベース３に固定される。
【００３１】
図６（ａ）は、封印ネジ４Ｃの先端キャップ６の上面視の平面図である。図６（ｂ）は、図６（ａ）の側面図である。図６（ｃ）は、封印ネジ４Ｃの先端キャップ６の下面視の平面図であり、図６（ａ）の反対側からみた平面図である。図６（ａ）及び図６（ｂ）に示すように、封印ネジ４Ｃの先端キャップ６は、上面視で円形の外形を有するフランジ部６２と、フランジ部６２から突出するとともに、封印ネジの差込孔２１に挿入可能な突起部６１を備えている。図６（ｃ）に示すように、フランジ部６２の中央部に、雌ネジが切られている凹部６３を備えている。
【００３２】
封印ネジ４Ｃの先端キャップ６の直径Ｄ１は、封印ネジの差込孔２１の内直径Ｄ３（図９参照）よりも大きい。封印ネジ４Ｃの先端キャップ６において、突起部６１の直径Ｄ２は、封印ネジの差込孔２１の内直径Ｄ３（図９参照）以下である。
【００３３】
図７に示すように、計器箱補修具本体７は、貫通孔付アーム部７２と、ネジ穴付アーム部７３と、連結部７１とを備えている。貫通孔付アーム部７２と、ネジ穴付アーム部７３とが互いの平面が対向するように、かつ貫通孔付アーム部７２とネジ穴付アーム部７３とが連結部７１に対して略直角となるように金属の板状体を折り曲げ加工されている。実施形態１において、貫通孔付アーム部７２とネジ穴付アーム部７３とが対向し、連結部７１が貫通孔付アーム部７２とネジ穴付アーム部７３とを連結して全体としてコの字状としている。計器箱補修具本体７は、Ｕ字状であってもよい。
【００３４】
貫通孔付アーム部７２には、貫通孔７５が開けられている。ネジ穴付アーム部７３には、ネジ穴７４が開けられている。ネジ穴７４には、雌ネジが切られている。
【００３５】
上述した、もともとカバー２とベース３とを固定していた封印ネジ４の一部分である、封印ネジの頭部側４Ａを取り除いて、代わりに使われるボルトが図６に示す計器箱補修具の封印ネジ４Ｃである。図６に示すように、封印ネジ４Ｃは、封印孔付頭部４１と、外周に雄ねじが切られた封印ネジ４Ｃのネジ部４４とを備えている。
【００３６】
図９及び図１０に示すように、カバー締め付け箇所５において、カバー２を閉じたことによりベース３とカバー２とが嵌め合わされた最低の距離Ｌ１よりも、貫通孔付アーム部７２と、ネジ穴付アーム部７３との距離Ｌ２が大きい。
【００３７】
実施形態１において、図９に示すように、封印ネジ４Ｃのネジ部４４がネジ穴付アーム部７３のネジ穴７４と螺合される。次に、ネジ穴付アーム部７３を貫通した封印ネジ４Ｃのネジ部４４の先端は、封印ネジ４Ｃの先端キャップ６の凹部６３（図６参照）と螺合される。この状態において、ベース３の封印ネジ部分の雌ネジ３１へ残ってしまった状態の第１ボルトの一部である封印ネジの先端側４Ｂが貫通孔付アーム部７２の貫通孔７５に挿入される。
【００３８】
封印ネジ４Ｃの封印孔付頭部４１をドライバーなどで回転することにより、図１０のように、封印ネジ４Ｃの先端キャップ６がカバー２の封印ネジの差込孔２１に挿入される。そして、フランジ部６２がカバー２に当接された状態で、カバー２とベース３とが固定される。
【００３９】
図１０に示すように、ネジ穴付アーム部７３は、貫通孔付アーム部７２よりもフランジ部６２がカバー２に当接することによる反力を受けるので、ネジ穴付アーム部７３の厚みＷ１は、貫通孔付アーム部７２の厚みＷ２よりも大きくする。これにより、フランジ部６２がカバー２に当接する姿勢が安定する。なお、ネジ穴付アーム部７３の厚みＷ１が貫通孔付アーム部７２の厚みＷ２と同じ厚みとしてもよい。
【００４０】
以上説明したように、計器箱１は、カバー２と、カバー２とベース３との間に形成される空間９に形成される計器を収容するベース３とを備える。封印ネジ４がねじ切れて、ベース３の封印ネジ部分の雌ネジ３１へ残ってしまった状態の封印ネジの先端側４Ｂが残っていても、計器箱補修具本体７と、封印ネジ４Ｃと、封印ネジ４Ｃの先端キャップ６とにより、既存の計器箱１のベース３及びカバー２を再利用可能とすることができる。計器箱補修具本体７は、第１ボルトの一部である封印ネジの先端側４Ｂが挿入された貫通孔７５を備える貫通孔付アーム部７２と、貫通孔付アーム部７２と対向しかつネジ穴７４を備えるネジ穴付アーム部７３と、貫通孔付アーム部７２とネジ穴付アーム部７３とを連結する連結部７１とを備える。封印ネジ４Ｃは、ネジ穴７４を貫通するネジ部４４と、ネジ部４４の一端に設けられた封印孔付頭部４１とを備える。封印ネジ４Ｃの先端キャップ６は、ネジ部４４の他端に取り付けられ、封印ネジの差込孔２１よりも大きい外形を有するフランジ部６２と、フランジ部６２から突出するとともに封印ネジの差込孔２１に挿入可能な突起部６１と、を有する。これらの構成により、封印ネジ４Ｃの先端キャップ６の突起部６１が封印ネジの差込孔２１に挿入され、フランジ部６２がカバー２に当接された状態で、カバー２とベース３とが固定されている。これにより、貫通孔付アーム部７２と、ネジ穴付アーム部７３との距離Ｌ２は連結部７１で規制されており、フランジ部６２と、貫通孔付アーム部７２との間で、カバー締め付け箇所５におけるカバー２とベース３とが挟まれる。
【００４１】
その結果、カバー２を開けることで固定できなくなった封印ネジ４があっても、既存の計器箱１のベース３及びカバー２を再利用して、カバー２をベース３に固定することができる。その結果、既存の計器箱１のベース３及びカバー２の交換作業が省略でき、作業効率が向上する。そして、計器箱１のコストが低減される。
【００４２】
（実施形態２）
図１１は、実施形態２に係る計器箱補修具の取付状態を示す模式図である。図１２は、実施形態２に係る計器箱補修具の封印ネジを説明するための説明図である。図１３は、実施形態２に係る計器箱補修具本体の取付手順を模式的に示す平面図である。図１４は、実施形態２に係る計器箱補修具の取付状態において、封印ネジと封印孔に封印線を通して、封印をした状態を模式的に示す平面図である。図１５は、計器箱の封印ネジが破損した状態の、計器箱締め付け箇所を模式的に示す断面図である。図１６は、実施形態２に係る計器箱補修具の取付手順を模式的に示す断面図である。図１７は、実施形態２に係る計器箱補修具の取付状態において、封印ネジと封印孔に封印線を通して、封印をした状態を模式的に示す断面図である。なお、上述したものと同じ部材、構成要素には同一の符号を付して重複する説明は省略する。
【００４３】
本実施形態２において、図１１に示すように、カバー締め付け箇所５において、カバー２を閉じたことによりベース３とカバー２とが嵌め合わされた最低の距離Ｌ１と、貫通孔付アーム部７２と、ネジ穴付アーム部７３とが対向する距離が同じである。図１１に示すように、例えば、距離Ｌ１は、２３ｍｍであり、距離Ｈ１は、７ｍｍであり、距離Ｈ２は、４ｍｍであり、距離Ｈ３は、７ｍｍであり、距離Ｈ４は、４ｍｍである。
【００４４】
封印ネジ４がねじ切れて、ベース３の封印ネジ部分の雌ネジ３１へ残ってしまった状態の封印ネジ４の一部である封印ネジの先端側４Ｂがあっても、計器箱補修具本体７と、封印ネジ４Ｄと、ナット８とにより、既存の計器箱１のベース３及びカバー２を再利用可能とすることができる。
【００４５】
図１２に示すように封印ネジ４Ｄは、封印孔付頭部４１と、ネジ部４４とを備えている。実施形態２では、ネジ部４４の外周に雄ねじが切られている。封印ネジ４Ｄの寸法の一例として、封印孔付頭部４１の直径Ｄ７がφ６ｍｍであり、ネジ部４４の直径Ｄ９がφ４ｍｍである。また、封印孔付頭部４１の長さＬ６が６ｍｍであり、ネジ部４４の長さＬ５Ａが１５ｍｍである。封印孔付頭部４１には、ドライバーを差し込む溝があり、溝幅ｄ１が１．２ｍｍである。
【００４６】
図１５に示すように、計器箱１のカバー２を開ける作業によっては、封印ネジ４がねじ切れて、封印ネジ４の先端側４Ｂがベース３の雌ネジ３１へ残ってしまった状態になることがある。次に、図１３及び図１６に示すように、カバー締め付け箇所５において、カバー２とベース３とが計器箱補修具本体７で挟まれる。
【００４７】
実施形態２において、ネジ穴付アーム部７３の外側に接する位置で、計器箱補修具の封印ネジ４Ｄのネジ部４４と螺合されるナット８を備えている。例えば、ナット８は、ネジ穴付アーム部７３の外側に溶着により固着されている。図１４及び図１７に示すように、封印ネジ４Ｄの封印孔付頭部４１をドライバーなどで回転することにより、封印ネジ４Ｄのネジ部４４がナット８の雌ネジ８１と螺合され、ナット８から露出した封印ネジ４Ｄのネジ部４４の先端がネジ穴付アーム部７３のネジ穴７４に挿入される。
【００４８】
図１１に示すように、封印ネジ４Ｄのネジ部４４がカバー２の封印ネジの差込孔２１に挿入される。封印ネジ４Ｄのネジ部４４の長さＬ３は、貫通孔付アーム部７２と、ネジ穴付アーム部７３との距離Ｌ１よりも短い。図１２に示す封印ネジ４Ｄのネジ部４４の長さＬ５Ａが、封印ネジ４Ｄのネジ部４４と軸部４２とが接触しないような距離となっており、図１１に示すように、封印ネジ４Ｄのネジ部４４と軸部４２との間に隙間Ｑが生じている。封印ネジの軸部４２は、折損し残った長さが長い場合は、ペンチ等により適宜切断する。そして、ネジ穴付アーム部７３が貫通孔付アーム部７２側に撓む。その結果、貫通孔付アーム部７２がベース３に当接され、ネジ穴付アーム部７３がカバー２に当接された状態で、カバー２とベース３とが固定される。実施形態１のカバー締め付け箇所５は、実施形態２のカバー締め付け箇所５よりも、カバー２とベース３とが挟まれる力を強めることができる。
【００４９】
図１１に示すように、ネジ穴付アーム部７３の厚みＷ１は、貫通孔付アーム部７２の厚みＷ２よりも小さくする。これにより、ネジ穴付アーム部７３が貫通孔付アーム部７２側に撓み易い。なお、ネジ穴付アーム部７３の厚みＷ１が貫通孔付アーム部７２の厚みＷ２と同じ厚みとしてもよい。
【００５０】
図１４及び図１７に示すように、ベース３及びカバー２にそれぞれ設けられ、カバー２とベース３とが閉められた場合に貫通する封印孔１０（図１４参照）と、封印ネジ４の頭部にある封印用の封印孔４９と、に封印線８８が挿入される。この封印線８８が通された状態で、封印具８９で封印線が圧着される。封印線８８により、計器箱１の封印ネジ４Ｄの弛みが抑制され、封印線８８を切らないと封印ネジ４Ｄを弛められないので、計器箱１が封印される。その結果、カバー２とベース３との間に形成される空間９に電力計などの計器が設置された後、不正にカバー２が開けられたことが、封印線８８の状態をもって判断できる。
【００５１】
以上説明したように、カバー２を開けることで固定できなくなった封印ネジ４があっても、既存の計器箱１のベース３及びカバー２を再利用して、カバー２をベース３に固定することができる。その結果、既存の計器箱１のベース３及びカバー２の交換作業が省略でき、作業効率が向上する。そして、計器箱１のコストが低減される。
【００５２】
（実施形態３）
図１８は、実施形態３に係る計器箱補修具の取付状態を示す模式図である。図１９は、実施形態３に係る計器箱補修具の封印ネジの説明図である。図２０は、実施形態３に係る計器箱補修具の封印ネジを説明するための説明図である。図２１は、計器箱の樹脂製のネジ山が摩耗した状態の、計器箱締め付け箇所を示す断面図である。図２２は、実施形態３に係る計器箱補修具の取付手順を示す断面図である。図２３は、実施形態３に係る計器箱補修具の取付状態を示す断面図である。図２４は、実施形態３に係る計器箱補修具本体の取付手順を示す平面図である。図２５は、実施形態３に係る計器箱補修具の取付状態を示す平面図である。なお、上述したものと同じ部材、構成要素には同一の符号を付して重複する説明は省略する。
【００５３】
実施形態３において、計器箱１のベース３に合成樹脂製の雌ネジ３１の穴がある場合、雌ネジ３１のネジ山が経年劣化等により摩耗して、封印ネジ４が空転して固着できなくなる場合がある。このような状態は、ベース３に封印ネジ部分の雌ネジ３１を備える締め付け装置が不良の場合と言える。
【００５４】
図１９に示す封印ネジ４Ｅのネジ部４３と、他端に設けられた封印ネジの封印孔付頭部４１と、軸部４２と、を備える。図２０に示すように、封印ネジ４Ｅの寸法の一例として、封印孔付頭部４１の直径Ｄ７がφ６ｍｍであり、軸部４２の直径Ｄ８がφ３ｍｍであり、ネジ部４３の直径Ｄ６がφ４ｍｍである。また、封印孔付頭部４１の長さＬ６が６ｍｍであり、軸部４２の長さＬ５が２０ｍｍであり、ネジ部４３の長さＬ４が８ｍｍである。封印孔付頭部４１には、ドライバーを差し込む溝があり、溝幅ｄ１が１．２ｍｍである。このように、封印ネジ４Ｅにおいて、封印ネジ４Ｅの軸部４２が既存の封印ネジ４の軸部４２（図５参照）より５ｍｍ程度長い。
【００５５】
また、封印ネジ４Ｅのネジ部４３がベース３の封印ネジ部分の雌ネジ３１とカバー２の封印ネジの差込孔２１とに挿入された状態で、封印ネジ４Ｅのネジ部４３の一部がベース３から突出する。実施形態３において、計器箱１は、ネジ穴付アーム部７３の外側に接する位置で封印ネジ４Ｅのネジ部４３と螺合されるナット８がネジ穴付アーム部７３に溶着されている。
【００５６】
本実施形態３において、図１８に示すように、カバー締め付け箇所５において、カバー２を閉じたことによりベース３とカバー２とが嵌め合わされた最低の距離Ｌ１と、貫通孔付アーム部７２と、ネジ穴付アーム部７３との距離が同じである。図２０に示す封印ネジ４Ｅのネジ部４３の長さＬ４は、ネジ穴付アーム部７３の厚みＷ２よりも大きい。例えば、距離Ｌ１は、２３ｍｍであり、距離Ｈ１は、７ｍｍであり、距離Ｈ２は、４ｍｍである。
【００５７】
図２１に示すように、雌ネジ３１のネジ山が経年劣化等により摩耗して、既存の封印ネジ４が空転して固着できなくなる場合がある。この場合、計器箱１を正常に閉じて封印することができなくなるため、電力量計の取替や調査等の本来の作業に加え、計器箱１の交換を行わなくてはならず、停電時間や作業時間の発生や長時間化が発生し、作業の容易性や効率、設置コストの高額化等、さまざまな問題が発生してしまう。そこで、実施形態３においては、既存の封印ネジ４が破棄されるが、計器箱１のベース３及びカバー２を再利用する。図２２及び図２４に示すように、封印ネジ４が空転して固着できなくなっているカバー締め付け箇所５において、カバー２とベース３とが計器箱補修具本体７で挟まれる。
【００５８】
封印ネジ４Ｅの封印孔付頭部４１をドライバーなどで回転することにより、図２３及び図２５のように、封印ネジのネジ部４３が、貫通孔７５、封印ネジの差込孔２１、雌ネジ３１、ネジ穴７４を通り、ナット８に挿入される。そして、封印ネジ４Ｅの封印孔付頭部４１に押されてネジ穴付アーム部７３が貫通孔付アーム部７２側に撓む。その結果、貫通孔付アーム部７２がベース３に当接され、ネジ穴付アーム部７３がカバー２に当接された状態で、カバー２とベース３とが固定される。
【００５９】
その結果、カバー２を開けることで封印ネジ部分の雌ネジ３１が利用できなくなっても、既存の計器箱１のベース３及びカバー２を再利用して、カバー２をベース３に固定することができる。その結果、既存の計器箱１のベース３及びカバー２の交換作業が省略でき、作業効率が向上する。そして、計器箱１のコストが低減される。
【００６０】
（実施形態４）
図２６は、実施形態４に係る計器箱補修具の取付手順を示す断面図である。図２７は、実施形態４に係る計器箱補修具の取付状態を示す断面図である。図２７は、実施形態４に係る計器箱補修具の取付状態を示す断面図である。図２８は、実施形態４に係る計器箱補修具の封印ネジを説明するための説明図である。図２９は、実施形態４に係る計器箱補修具本体の取付手順を示す平面図である。図３０は、実施形態４に係る計器箱補修具の取付状態を示す平面図である。なお、上述したものと同じ部材、構成要素には同一の符号を付して重複する説明は省略する。
【００６１】
実施形態４においてもカバー締め付け箇所５において、実施形態１で上述したベース３とカバー２を連続して貫通する封印ネジ４と、ベース３に封印ネジ部分の雌ネジ３１を備える締め付け装置が不良の場合の計器箱１の補修方法を説明する。
【００６２】
図２６及び図２７に示すように、実施形態４に係る計器箱補修具は、ベース３とカバー２を組み合わせた状態の計器箱１のカバー締め付け箇所５において、ベース３及びカバー２の組み合わせ方向に外接するコの字形の計器箱補修具本体７と、封印ネジ４Ｆと、ナット８とを備える。
【００６３】
実施形態４において、封印ネジ４がねじ切れて、ベース３の封印ネジ部分の雌ネジ３１へ残ってしまった状態の封印ネジ４の一部である封印ネジの先端側４Ｂがあっても、計器箱補修具本体７と、封印ネジ４Ｆと、ナット８とにより、既存の計器箱１のベース３及びカバー２を再利用可能とすることができる。
【００６４】
図２８に示すように封印ネジ４Ｆは、封印孔付頭部４１と、大径ネジ部４５と、軸部４６とを備えている。実施形態４では、大径ネジ部４５の外周に雄ねじが切られている。封印ネジ４Ｆの寸法の一例として、封印孔付頭部４１の直径Ｄ７がφ１０ｍｍであり、大径ネジ部４５の直径Ｄ１２がφ８ｍｍであり、軸部４６の直径Ｄ１３がφ４ｍｍである。また、封印孔付頭部４１の長さＬ６が６ｍｍであり、大径ネジ部４５の長さＬ８が６ｍｍであり、軸部４６の長さＬ７が１０ｍｍである。封印孔付頭部４１には、ドライバーを差し込む溝があり、溝幅ｄ１が１．２ｍｍである。
【００６５】
封印ネジ４Ｆの大径ネジ部４５の直径Ｄ１２は、封印ネジの差込孔２１の内直径Ｄ３（図２６参照）よりも大きい。軸部４６の直径Ｄ１３は、封印ネジの差込孔２１の内直径Ｄ３（図２６参照）以下である。
【００６６】
図２６に示すように、計器箱１のカバー２を開ける作業によっては、封印ネジ４がねじ切れて、封印ネジ４の先端側４Ｂがベース３の雌ネジ３１へ残ってしまった状態になることがある。次に、図２６に示すように、カバー締め付け箇所５において、カバー２とベース３とが計器箱補修具本体７で挟まれる。例えば、距離Ｈ１は、５ｍｍであり、距離Ｈ２は、４ｍｍである。
【００６７】
図２６及び図２９に示すように、ネジ穴付アーム部７３の外側に接する位置で、計器箱補修具の封印ネジ４Ｆの大径ネジ部４５と螺合されるナット８を備えている。例えば、ナット８は、ネジ穴付アーム部７３の外側に溶着により固着されている。
【００６８】
図２７及び図３０に示すように、封印ネジ４Ｆの封印孔付頭部４１をドライバーなどで回転することにより、封印ネジ４Ｆの大径ネジ部４５がナット８の雌ネジ８１及びネジ穴付アーム部７３のネジ穴７４と螺合される。大径ネジ部４５の長さＬ８は、ナット８の厚みよりも長く、大径ネジ部４５がネジ穴付アーム部７３から露出してカバー２に当接する長さが必要である。これにより、封印ネジ４Ｆが完全に螺合された状態で、カバー２を押さえられる。また、この場合、封印ネジ４Ｆの軸部４６の先端が封印ネジの差込孔２１に挿入されている。図２７に示す距離Ｌ１は、例えば、２３ｍｍである。
【００６９】
図２８に示す封印ネジ４Ｆの軸部４６の長さＬ７は、図２７に示す貫通孔付アーム部７２と、ネジ穴付アーム部７３との距離Ｌ１よりも短い。封印ネジ４Ｆの軸部４６の長さＬ７が、封印ネジ４Ｆの軸部４６と軸部４２とが接触しないような距離となっており、図２７に示すように、封印ネジ４Ｆの軸部４６と軸部４２との間に隙間Ｑが生じている。封印ネジ４Ｆの軸部４６の長さＬ７は、カバー締め付け箇所５のカバー２の厚みを超えないことがより好ましい。封印ネジの軸部４２は、折損し残った長さが長い場合は、ペンチ等により適宜切断する。そして、封印ネジ４Ｆの封印孔付頭部４１をドライバーなどで回転することにより、ネジ穴付アーム部７３がナット８に押され、ネジ穴付アーム部７３が貫通孔付アーム部７２側に撓むとともに、封印ネジ４Ｆの大径ネジ部４５が直接カバー２を締め付ける。その結果、大径ネジ部４５と、ネジ穴付アーム部７３とが、カバー２とベース３とを挟み、固定される。実施形態４のカバー締め付け箇所５は、実施形態２のカバー締め付け箇所５よりも、カバー２とベース３とが挟まれる力を強めることができる。
【００７０】
このように、実施形態４に係る計器箱補修具は、封印ネジの差込孔よりも直径が大きい大径ネジ部４５を備える封印ネジ４Ｆで直接カバー２を押さえることができる。
【００７１】
貫通孔付アーム部７２には、貫通孔７５が開けられている。ネジ穴付アーム部７３には、ネジ穴７４が開けられている。ネジ穴７４には、雌ネジが切られている。ネジ穴７４は、封印ネジの差込孔２１の内径よりも大きい内径を有している。
【００７２】
カバー締め付け箇所５において、ベース３とカバー２とが計器箱補修具本体７で挟持され、封印ネジの差込孔２１に、実施形態４に係る計器箱補修具用の封印ネジ４Ｆの軸部４６が挿入される。封印ネジ４Ｆが計器箱補修具本体７のネジ穴７４に螺合されることにより、計器箱補修具用の封印ネジ４Ｆがカバー２を締め付け方向に締め付けることができる。
【００７３】
計器箱補修具本体７は、ネジ穴付アーム部７３の先端２ｍｍ程度が挟持方向と逆方向に４５°程度の角度で曲げてある折り曲げ部７６を備えている。ここで、挟持方向とは、貫通孔付アーム部７２とネジ穴付アーム部７３とがカバー締め付け箇所５を挟持する方向であり、貫通孔付アーム部７２とネジ穴付アーム部７３とが近づく方向である。折り曲げ部７６を備えることで、カバー締め付け箇所５において、計器箱補修具本体７がベース３及びカバー２を挟持し易くなる。折り曲げ部７６は、貫通孔付アーム部７２にあってもよく、貫通孔付アーム部７２及びネジ穴付アーム部７３の両方にあってもよい。
【符号の説明】
【００７４】
１  計器箱
２  カバー
３  ベース
４  封印ネジ
４Ａ  封印ネジの頭部側（分割体）
４Ｂ  封印ネジの先端側（分割体）
４Ｃ  封印ネジ
４Ｄ  封印ネジ
４Ｅ  封印ネジ
４Ｆ  封印ネジ
５  カバー締め付け箇所
６  封印ネジの先端キャップ
７  計器箱補修具本体
８  ナット
９  カバーとベースとの間に形成される空間
１０  封印孔
２１  封印ネジの差込孔
３１  封印ネジ部分の雌ネジ
４１  封印孔付頭部
４２  封印ネジの軸部
４３  封印ネジのネジ部
４４  計器箱補修具の封印ネジのネジ部
６１  突起部
６２  フランジ部
６３  凹部
７１  連結部
７２  貫通孔付アーム部
７３  ネジ穴付アーム部
７４  ネジ穴
７５  貫通孔
【図１】
0006805545.tif 000002
【図２】
0006805545.tif 000003
【図３】
0006805545.tif 000004
【図４】
0006805545.tif 000005
【図５】
0006805545.tif 000006
【図６】
0006805545.tif 000007
【図７】
0006805545.tif 000008
【図８】
0006805545.tif 000009
【図９】
0006805545.tif 000010
【図１０】
0006805545.tif 000011
【図１１】
0006805545.tif 000012
【図１２】
0006805545.tif 000013
【図１３】
0006805545.tif 000014
【図１４】
0006805545.tif 000015
【図１５】
0006805545.tif 000016
【図１６】
0006805545.tif 000017
【図１７】
0006805545.tif 000018
【図１８】
0006805545.tif 000019
【図１９】
0006805545.tif 000020
【図２０】
0006805545.tif 000021
【図２１】
0006805545.tif 000022
【図２２】
0006805545.tif 000023
【図２３】
0006805545.tif 000024
【図２４】
0006805545.tif 000025
【図２５】
0006805545.tif 000026
【図２６】
0006805545.tif 000027
【図２７】
0006805545.tif 000028
【図２８】
0006805545.tif 000029
【図２９】
0006805545.tif 000030
【図３０】
0006805545.tif 000031